(57)【要約】      （修正有）【課題】印刷ジョブが完了したか否かを、出力された用紙の内容を確認することなく、視覚的に瞬時に認識可能な画像形成装置を提供する。【解決手段】入力された画像データに基づいて用紙に画像形成する印刷ジョブを実行する画像形成手段と、画像形成された用紙を出力する排紙トレイと、完了した印刷ジョブを表示する出力履歴表示手段１３ａ２０を備える画像形成装置１で、前記出力履歴表示手段１３ａ２０は、完了した印刷ジョブにより形成された画像のサムネイル画像を表示する。【選択図】図１
2008006691.tif 000002
【特許請求の範囲】
【請求項１】
入力された画像データに基づいて用紙に画像形成する印刷ジョブを実行する画像形成手段と、画像形成された用紙を出力する排紙トレイと、完了した印刷ジョブを表示する出力履歴表示手段を備える画像形成装置であって、
前記出力履歴表示手段は、完了した印刷ジョブにより形成された画像のサムネイル画像を表示する画像形成装置。
【請求項２】
前記出力履歴表示手段は、印刷ジョブの処理順が判別できるように、前記サムネイル画像を表示する請求項１に記載の画像形成装置。
【請求項３】
前記印刷ジョブは、複写ジョブ、プリントジョブ、ＦＡＸジョブの何れかにより構成され、前記出力履歴表示手段は、対応するジョブ種別を識別可能な態様で前記サムネイル画像を表示する請求項１または２に記載の画像形成装置。
【請求項４】
前記出力履歴表示手段は、所定条件が満たされたときに、対応するサムネイル画像を消去する請求項１から３の何れかに記載の画像形成装置。
【請求項５】
入力手段によりサムネイル画像が特定入力されたときに、対応するサムネイル画像を消去する請求項４に記載の画像形成装置。
【請求項６】
前記排紙トレイに出力された用紙が取り除かれたことを前記排紙トレイに備えられた用紙検出手段が検出したときに、対応するサムネイル画像を消去する請求項４に記載の画像形成装置。
【請求項７】
前記排紙トレイに出力された用紙が取り除かれたことを前記排紙トレイに備えられた用紙検出手段が継続して所定時間検出したときに、対応するサムネイル画像を消去する請求項６に記載の画像形成装置。
【請求項８】
前記画像形成装置の電源がオフされたときに、対応するサムネイル画像を消去する請求項４に記載の画像形成装置。
【発明の詳細な説明】
【技術分野】
【０００１】
本発明は、入力された画像データに基づいて用紙に画像形成する印刷ジョブを実行する画像形成手段と、画像形成された用紙を出力する排紙トレイと、完了した印刷ジョブを表示する出力履歴表示手段を備える画像形成装置に関する。
【背景技術】
【０００２】
近年、ネットワークや公衆回線と接続し、複写機だけでなくプリンタやＦＡＸとしても使用可能な、所謂複合機と言われる画像形成装置が普及している。
【０００３】
上述の画像形成装置では、特にプリンタとして動作する際に、ネットワークを介して多くの使用者から多くの印刷ジョブを受付けて処理するため、前記印刷ジョブにより出力された用紙が前記排紙トレイに集積されて混在し、使用者は、自らの印刷ジョブによる用紙が既に出力されているか否かを判別し難く、また、既に出力が完了しているときにも、出力された多くの用紙の中から自らの印刷ジョブによる用紙を探し出すために、多くの時間を必要とした。
【０００４】
特許文献１には、使用者が自らの印刷ジョブにより出力された用紙を容易に見つけ出すことができるように、先に排出した用紙の方向を記憶し、次の画像形成により排出する用紙の方向が先に排出した用紙の方向と同一方向となるときに、前記用紙方向から９０度回転させた用紙を給紙し、または排出する用紙の用紙幅方向の位置を変更して排出する画像形成装置が提案されている。
【０００５】
特許文献２には、ネットワークプリントであっても出力された用紙のプリント指示をした者を特定できるように、通信ネットワークに接続された情報処理装置からの記録指示があると、例えば前記プリント指示を行ったコンピュータ名やユーザ名や、前記コンピュータのＩＰアドレス等の前記情報処理装置を特定する情報を用紙に記録し、または表示手段に表示する記録装置が提案されている。
【０００６】
【特許文献１】特開２０００−２２１８３７号公報
【特許文献２】特開２００２−３２３９６５号公報
【発明の開示】
【発明が解決しようとする課題】
【０００７】
しかし、特許文献１で提案された技術では、出力された用紙の混在が防止されているため、使用者は自らの印刷ジョブによる用紙を容易に見つけることができるが、自らの印刷ジョブによる用紙が既に出力されているか否かを判別する際や集積された複数の用紙の中から自らの印刷ジョブによる用紙を取り除くには、出力された用紙の内容を確認する必要があるため、確認のために多くの時間を必要とし、使用者が出力された用紙の内容をあいまいにしか覚えていないとき等には更に多くの時間を必要とする。
【０００８】
また、特許文献２で提案された技術では、前記情報処理装置を特定する情報を表示手段に表示している場合、前記表示手段を確認することで自らが命令した印刷ジョブによる用紙が既に出力されているか否かは判別可能であるが、前記情報処理装置を特定する情報を使用者は覚えておく必要があり、前記情報処理装置を特定する情報を表示手段に表示しない場合、特許文献１で提案された技術と同様に出力された用紙を確認して自らの印刷ジョブによる用紙を特定する必要があり、確認のために多くの時間を必要とする。更に第三者に提出するプレゼンテーション用の用紙等に前記情報処理装置を特定する情報を記録することは好ましくない。
【０００９】
本発明の目的は、上述の問題に鑑み、印刷ジョブが完了したか否かを、出力された用紙の内容を確認することなく、視覚的に瞬時に認識可能な画像形成装置を提供する点にある。
【課題を解決するための手段】
【００１０】
上述の目的を達成するため、本発明による画像形成装置の第一の特徴構成は、特許請求の範囲の書類の請求項１に記載した通り、入力された画像データに基づいて用紙に画像形成する印刷ジョブを実行する画像形成手段と、画像形成された用紙を出力する排紙トレイと、完了した印刷ジョブを表示する出力履歴表示手段を備える画像形成装置であって、前記出力履歴表示手段は、完了した印刷ジョブにより形成された画像のサムネイル画像を表示する点にある。
【００１１】
上述の構成によれば、使用者は、自らの印刷ジョブによる用紙が出力されたか否かを、表示されたサムネイル画像を確認することで、視覚的に瞬時に認識することができる。
【００１２】
同第二の特徴構成は、同請求項２に記載した通り、上述の第一の特徴構成に加えて、前記出力履歴表示手段は、印刷ジョブの処理順が判別できるように、前記サムネイル画像を表示する点にある。
【００１３】
上述の構成によれば、前記排紙トレイに出力されて集積された用紙と同じ順序で前記サムネイル画像が表示されるため、前記排紙トレイに出力されて集積された用紙の内容を確認しなくても、前記サムネイル画像の表示順序に基づき、自らの印刷ジョブにより出力された用紙を容易に取り除くことができる。
【００１４】
同第三の特徴構成は、同請求項３に記載した通り、上述の第一または第二の特徴構成に加えて、前記印刷ジョブは、複写ジョブ、プリントジョブ、ＦＡＸジョブの何れかにより構成され、前記出力履歴表示手段は、対応するジョブ種別を識別可能な態様で前記サムネイル画像を表示する点にある。
【００１５】
上述の構成によれば、表示されたサムネイル画像の内、自らの印刷ジョブのジョブ種別に対応する態様のサムネイル画像のみを確認すれば、自らの印刷ジョブにより出力される用紙の出力が完了しているか否かを確認できため、確認に要する時間を短縮することができる。
【００１６】
同第四の特徴構成は、同請求項４に記載した通り、上述の第一から第三の何れかの特徴構成に加えて、前記出力履歴表示手段は、所定条件が満たされたときに、対応するサムネイル画像を消去する点にある。
【００１７】
上述の構成によれば、例えば、出力された用紙が既に取り除かれたサムネイル画像など、表示を必要としないサムネイル画像を消去するように前記所定条件を設定することで、表示するサムネイル画像を削減し、使用者が前記サムネイル画像の確認に対して割く時間や労力を軽減することができる。また、前記サムネイル画像の記憶や表示に用いられるメモリ等の資源の容量を削減することができる。
【００１８】
同第五の特徴構成は、同請求項５に記載した通り、上述の第四の特徴構成に加えて、入力手段によりサムネイル画像が特定入力されたときに、対応するサムネイル画像を消去する点にある。
【００１９】
上述の構成によれば、例えば、出力された用紙が取り除かれた印刷ジョブの前記サムネイル画像を特定して当該サムネイル画像を消去することができる等、表示が不要となった前記サムネイル画像を使用者が特定して消去することができる。
【００２０】
同第六の特徴構成は、同請求項６に記載した通り、上述の第四の特徴構成に加えて、前記排紙トレイに出力された用紙が取り除かれたことを前記排紙トレイに備えられた用紙検出手段が検出したときに、対応するサムネイル画像を消去する点にある。
【００２１】
上述の構成によれば、例えば、前記排紙トレイに出力された用紙が全て取り除かれたときには、表示された前記サムネイル画像全てを消去する等、表示が不要となった前記サムネイル画像を使用者の操作を要することなく消去することができる。
【００２２】
同第七の特徴構成は、同請求項７に記載した通り、上述の第六の特徴構成に加えて、前記排紙トレイに出力された用紙が取り除かれたことを前記排紙トレイに備えられた用紙検出手段が継続して所定時間検出したときに、対応するサムネイル画像を消去する点にある。
【００２３】
上述の構成によれば、例えば、使用者が自らの印刷ジョブにより出力された用紙を確認するため、前記排紙トレイに集積された複数の用紙を手に取り、または目的の用紙以外の用紙を誤って手に取ったとき等に、前記排紙トレイに再び目的以外の用紙が戻される等、前記排紙トレイから用紙が取り除かれておらず、表示を必要とするサムネイル画像が誤って消去されることを防止することができる。
【００２４】
同第八の特徴構成は、同請求項８に記載した通り、上述の第四の特徴構成に加えて、前記画像形成装置の電源がオフされたときに、対応するサムネイル画像を消去する点にある。
【００２５】
前記画像形成装置の電源が落とされると電力供給が途絶えるため、一般的にサムネイル画像を表示することはできず、更に、前記画像形成装置に再度電源を投入するまでには前記排紙トレイに出力された用紙は取り除かれている可能性が高いため、電源を落とすときに表示していたサムネイル画像を次の電源投入時に再度表示する必要性は極めて低いと考えられ、逆に次の電源投入時に前記サムネイル画像を表示すると、電源投入後に出力された用紙が出力されたか否かを確認するために要する時間や労力を大きくする虞がある。
【００２６】
上述の構成によれば、電源を落す際に、次の電源投入後に表示する必要性が極めて小さい前記サムネイル画像を消去することで、次に電源を投入した後における印刷ジョブの用紙が出力されたか否かの確認に要する時間や労力が大きくなることを防止することができる。
【発明の効果】
【００２７】
以上、説明した通り、本発明によれば、印刷ジョブが完了したか否かを、出力された用紙の内容を確認することなく、視覚的に瞬時に認識可能な画像形成装置を提供することができるようになった。
【発明を実施するための最良の形態】
【００２８】
以下に本発明を適用した画像形成装置としての電子写真方式のデジタル複合機における実施の形態について説明する。
【００２９】
本発明によるデジタル複合機１は、複写動作を実行する複写モードとプリント動作を実行するプリンタモードとＦＡＸ送受信を実行するＦＡＸモードを備え、図２に示すように、カラー表示部やハードウェアキー等が配置された後述する操作部１０と、原稿載置トレイ１１ａにセットされた一連の原稿を順次読込んで電子データに変換し、所定の処理を施して出力用の画像データを生成する画像読取部１２と、本発明の画像形成手段であり、前記画像読取部１２が生成し、または後述の、ＦＡＸモデム部１５や外部インターフェース部１６が受信して生成した出力用の画像データに基づいて用紙上にトナー像を形成して排紙トレイ１１ｂに出力する電子写真方式の画像出力部１３と、形成されたトナー画像が転写される被記録材である用紙が収容された給紙カセット１４と、図示しない外部のＦＡＸとＦＡＸ原稿データの送受信を行うためのＦＡＸモデム１５と、ネットワークＬＡＮを介して外部の端末とプリントデータ等の送受信を行うための外部インターフェース１６と、該デジタル複合機１を統括制御するシステム制御部１７を備えて構成されている。
【００３０】
前記操作部１０は、例えば前記複写モードを例に説明すると、図３に示すように、複写条件を指定する複数のメニュー選択キーがソフトウェアキーの形態で配置された操作画面が表示されるタッチパネル式のカラー表示部１０ａと、画像形成動作を起動させるためのスタートキー１０ｂ１０や、数値入力するための数値入力キー１０ｂ１１等のハードウェアキー１０ｂと、前記デジタル複合機１の現在の動作モードをユーザに知らせるＬＥＤ１０ｃとを備えて構成されている。
【００３１】
前記排紙トレイ１１ｂは、図４に示すように、本発明の用紙検出手段であり、出力された用紙の有無を検出する光学式の用紙検出センサ１１ｃを備え、更に、ソレノイド等により構成されるトレイ移動手段１１ｄが出力される用紙の幅方向に前記排紙トレイ１１ｂを移動させることで、出力される用紙毎に用紙の幅方向の位置を変えることができる所謂シフトトレイ機能を有している。尚、前記用紙検出センサ１１ｃは光学式に限定するものではなく、例えば、機械式のセンサを用いる構成であっても良い。
【００３２】
前記画像出力部１３は、図４に示すように、本発明の画像形成手段であり、前記出力用の画像データに基づいて感光体１３ａ１にトナー画像を形成する画像形成部１３ａと、前記給紙カセット１４から収容された用紙を搬送する搬送部１３ｂと、前記用紙を加圧ローラと所定温度に加熱された定着ローラとで圧接搬送することにより転写された前記用紙上のトナー像を加熱溶融して前記用紙に定着させる定着部１３ｃなどを備えて構成されている。
【００３３】
前記搬送部１３ｂは、夫々サイズの異なる用紙が収容された前記給紙カセット１４から前記用紙を１枚ずつ搬送する給紙搬送部１３ｂ１と、トナー像が転写された前記用紙を定着部１３ｃに向けて搬送する転写搬送部１３ｂ２と、前記定着部１３ｃを通過した前記用紙をフェイスアップ方式で前記排紙トレイ１１ｂに排出する排紙搬送部１３ｂ３とを備えて構成され、夫々には搬送用のローラが設けられている。
【００３４】
上述したデジタル複写機１の制御部は、図５に示すように、前記操作部１０を制御する操作制御部１０Ａと、前記トレイ移動手段１１ｄを制御するトレイ制御部１１Ａと、前記画像読取部１２を制御する画像読取制御部１２Ａと、前記画像出力部１３を制御する画像出力制御部１３Ａと、前記ＦＡＸモデム１５を制御するＦＡＸモデム制御部１５Ａと、前記外部インターフェース１６を制御する外部インターフェース制御部１６Ａと、上述の各制御部１０Ａ、１１Ａ、１２Ａ、１３Ａ、１５Ａ、１６Ａのタイミングを制御して複写動作などの実行を管理する前記システム制御部１７とから構成され、各制御部１０Ａ、１１Ａ、１２Ａ、１３Ａ、１５Ａ、１６Ａには夫々ＣＰＵ及びＣＰＵによる動作プログラムが格納されたＲＯＭなどが設けられている。
【００３５】
前記操作制御部１０Ａは、前記デジタル複合機１の操作画面等を図示しない揮発性ＲＡＭに展開した後、前記カラー表示部１０ａに表示する表示制御手段１０Ａ１と、前記ＬＥＤ１０ｃの点消灯を制御するＬＥＤ制御手段１０Ａ２と、前記カラー表示部１０ａやハードウェアキー１０ｂに行われた操作を検出する操作入力検出手段１０Ａ３とを備える。
【００３６】
前記画像読取制御部１２Ａは、前記操作部１０の操作を検出した前記操作制御部１０Ａから原稿読み取りのコマンドを受けて、前記画像読取部１２で原稿を読み取り、出力用の画像データを生成して、前記画像生成制御部１３Ａに出力する。
【００３７】
前記ＦＡＸモデム制御手段１５Ａは、外部のＦＡＸとのＦＡＸ原稿データの送受信を制御するＦＡＸ送受信手段１５Ａ１と、前記ＦＡＸ原稿データに所定の画像処理を施すＦＡＸ原稿画像処理手段１５Ａ２とを備える。即ち、受信したＦＡＸ原稿データに対し、前記ＦＡＸ原稿画像処理手段１５Ａ２が画像処理を施すことにより、出力用の画像データを生成する。前記ＦＡＸモデム制御手段１５Ａは、生成した出力用の画像データを前記画像生成制御部１３Ａに出力する。
【００３８】
前記外部インターフェース制御手段１６Ａは、外部の端末からのプリントデータの受信を制御するプリントデータ受信手段１６Ａ１と、プリント記述言語からなる前記プリントデータを解析する解析手段１６Ａ２とを備える。即ち、受信したプリントデータを前記解析手段１６Ａ２が解析し、出力用の画像データを生成する。前記外部インターフェース制御手段１６Ａは、生成した出力用の画像データを前記画像生成制御部１３Ａに出力する。
【００３９】
前記トレイ制御部１１Ａは、前記トレイ移動手段１１ｄを制御するトレイ移動制御手段１１Ａ１を備え、後述する画像形成制御手段１３Ａ１により印刷ジョブが実行されて、後述する搬送制御手段１３Ａ２からの出力を受けた前記トレイ移動制御部１１Ａ１は、前記排紙搬送部１３ｂ３から出力される、完了した印刷ジョブの用紙束毎に、前記排紙トレイ１１ｂを前記用紙の幅方向に移動させ、前記用紙の幅方向の位置を変えることで、前記完了した印刷ジョブの用紙束を区分するように構成されている。
【００４０】
前記画像出力制御部１３Ａは、前記画像読取制御部１２Ａ、または前記ＦＡＸモデム制御部１５Ａ、または前記外部インターフェース制御部１６Ａから出力された出力用の画像データに基づき、搬送される用紙に前記画像データを画像形成する印刷ジョブを実行するように前記画像形成部１３ａを制御する画像形成制御手段１３Ａ１と、前記搬送部１３ｂを制御する搬送制御手段１３Ａ２と、前記定着部１３ｃを制御する定着制御部１３Ａ３とを備える。上述のように、前記印刷ジョブは、複写ジョブ、ＦＡＸジョブ、プリントジョブから構成される。
【００４１】
前記画像形成制御部１３Ａ１は、図１に示すように、完了した印刷ジョブの出力画像のサムネイル画像を生成し、前記完了した印刷ジョブを、前記印刷ジョブの出力画像のサムネイル画像として、対応するジョブ種別と共に前記印刷ジョブの処理順で揮発性ＲＡＭに記憶する出力履歴記憶手段１３ａ１０と、前記出力履歴記憶手段１３ａ１０が前記揮発性ＲＡＭに記憶した前記サムネイル画像を、前記印刷ジョブの処理順に、対応するジョブ種別が識別可能な態様で前記カラー表示部１０ａに表示し、後述する所定条件が満たされたときに、前記カラー表示部１０ａに表示した前記サムネイル画像と、前記出力履歴記憶手段１３ａ１０が記憶した前記サムネイル画像を消去する出力履歴表示手段１３ａ２０とを備える。尚、前記サムネイル画像は、完了した印刷ジョブにより出力される用紙が複数であるときには、一枚目の用紙の出力画像を前記サムネイル画像とする。
【００４２】
前記出力履歴表示手段１３ａ２０は、前記出力履歴記憶手段１３ａ１０が前記印刷ジョブの処理順に前記揮発性ＲＡＭに記憶したサムネイル画像を、対応するジョブ種別と関連付けて前記表示制御手段１０Ａ１に出力し、前記表示制御手段１０Ａ１は、図６（ａ）に示すように、「出力履歴表示画面１０ａ１」のサムネイル画像表示領域１０ａ２に、前記サムネイル画像を、その外枠をジョブ種別により色分けして、前記印刷ジョブの処理順で配置するように前記カラー表示部１０ａに表示する。表示するサムネイル画像が多く、前記カラー表示部１０ａに一度に表示しきれないときには、図６（ｂ）に示すように、前記表示制御手段１０Ａ１は、前記サムネイル画像表示領域１０ａ２の下部に、表示する全てのサムネイル画像の中で前記カラー表示部１０ａに表示されているサムネイル画像の占める位置情報と連動するスクロールバー１０ａ３を表示し、前記スクロールバー１０ａ２をスクロールすることで全てのサムネイル画像を表示することができるように構成されている。
【００４３】
ここで、使用者は、前記デジタル複合機１を操作するための操作画面を呼び出したいときに、前記出力履歴表示画面１０ａ１の前記サムネイル画像表示領域１０ａ２のサムネイル画像以外の部分を押圧することで、前記表示制御手段１０Ａ１に対して、前記前記デジタル複合機１のそのときの動作モードの操作画面を前記カラー表示部１０ａに表示させることができる。また、使用者が前記操作部１０に備えられた動作モードを切替えるハードキーを押圧すると、前記表示制御手段１０Ａ１は前記動作モードの操作画面を前記カラー表示部１０ａに表示するように構成されている。
【００４４】
以下に、前記出力履歴表示手段１３ａ２０が前記カラー表示部１０ａに表示した前記サムネイル画像を消去する際の前記所定条件について詳述する。
【００４５】
前記所定条件の１つ目は、前記カラー表示部１０ａに表示されたサムネイル画像から、使用者が前記数値キー１０ｂ１１やタッチパネルである前記カラー表示部１０ａ等の入力手段により、消去したいサムネイル画像を特定することである。例えば、出力された用紙を取りにきた使用者が、前記カラー表示部１０ａに表示されたサムネイル画像から、対応するサムネイル画像を押圧して選択し、前記スタートキー１０ｂ１０を押圧して前記対応するサムネイル画像を特定すると、前記操作入力検出手段１０Ａ４がこれを検知し、特定されたサムネイル画像の表示順序等の特定情報を前記出力履歴表示手段１３ａ２０に出力する。前記出力履歴表示手段１３ａ２０は、前記特定されたサムネイル画像を消去するように前記表示制御手段１０Ａ１に前記特定情報を出力し、前記表示制御手段１０Ａ１は、前記揮発性ＲＡＭから前記特定されたサムネイル画像を消去し、前記カラー表示部１０ａから前記特定されたサムネイル画像を消去する。また、前記出力履歴表示手段１３ａ２０は、前記特定されたサムネイル画像を消去するように前記出力履歴記憶手段１３ａ１０に前記特定情報を出力し、前記出力履歴記憶手段１３ａ１０は、前記揮発性ＲＡＭに記憶しているサムネイル画像から前記特定されたサムネイル画像をジョブ種別と共に消去する。
【００４６】
前記所定条件の２つ目は、前記排紙トレイ１１ｂに出力された用紙が取り除かれたことを、前記用紙検出センサ１１ｃが所定時間継続して検出することである。例えば、前記排紙トレイ１１ｂに出力された用紙の全てが取り除かれ、所定時間内に再び戻されることがなければ、前記用紙検出センサ１１ｃは、前記排紙トレイ１１ｂに出力された用紙がないことを前記所定時間継続して検知した後、前記出力履歴表示手段１３ａ２０に出力する。前記出力履歴表示手段１３ａ２０は、前記カラー表示部１０ａから全てのサムネイル画像を消去するように前記表示制御手段１０Ａ１に出力し、前記表示制御手段１０Ａ１は、前記揮発性ＲＡＭから全てのサムネイル画像を消去し、前記カラー表示部１０ａから全てのサムネイル画像を消去する。また、前記出力履歴表示手段１３ａ２０は、記憶する全てのサムネイル画像を消去するように前記出力履歴記憶手段１３ａ１０に出力し、前記出力履歴記憶手段１３ａ１０は、記憶する全てのサムネイル画像をジョブ種別と共に消去する。
【００４７】
前記所定条件の３つ目は、前記デジタル複合機１の電源がオフされることである。使用者が前記デジタル複写機１の電源を落すため、電源スイッチを押圧すると、前記表示制御手段１０Ａ１や前記出力履歴記憶手段１３ａ１０に供給される電源は断たれるため、夫々が備える揮発性のＲＡＭに展開され、または記憶されたサムネイル画像は消去され、使用者が次に電源スイッチを押圧して、前記デジタル複合機１に電源投入した時点で、前記カラー表示部１０ａにサムネイル画像が表示されることはない。
【００４８】
以下、前記カラー表示部１０ａに表示されるサムネイル画像の表示、消去について、図７のフローチャートを用いて説明する。
【００４９】
電源が投入されて前記デジタル複合機１がオン状態にあるときに（Ｓ１）、前記画像出力部１３が受付けた印刷ジョブを完了するまでは（Ｓ３）、前記カラー表示部１０ａにサムネイル画像の表示はなく（Ｓ２）、前記画像出力部１３が受付けた印刷ジョブを完了すると（Ｓ３）、前記印刷ジョブによる用紙が前記排紙トレイ１１ｂに出力され（Ｓ４）、前記印刷ジョブのサムネイル画像を、前記出力履歴記憶手段１３ａ１０が記憶し（Ｓ５）、前記出力履歴表示手段１３ａ２０により記憶された前記サムネイル画像が、対応するジョブ種別毎に色分けされて、印刷ジョブの処理順に、前記カラー表示部１０ａに表示される（Ｓ６）。
【００５０】
前記カラー表示部１０ａに前記サムネイル画像が表示された状態で（Ｓ６）、前記デジタル複合機１の電源がオフされると（Ｓ７）、前記出力履歴記憶手段１３ａ１０が記憶する全サムネイル画像と、前記カラー表示部１０ａに表示された全サムネイル画像が消去され、（Ｓ１０）、前記画像出力部１３が新たに受付けた印刷ジョブを完了するまでは（Ｓ３）、前記カラー表示部１０ａにサムネイル画像の表示はない（Ｓ２）。
【００５１】
前記カラー表示部１０ａに前記サムネイル画像が表示された状態で（Ｓ６）、前記デジタル複合機１の電源がオフされることなく（Ｓ７）、前記用紙検出センサ１１ｃが前記排紙トレイ１１ｂに用紙がないと検出し（Ｓ８）、検出継続した状態で所定時間が経過すると（Ｓ８）、前記出力履歴記憶手段１３ａ１０が記憶する全サムネイル画像と、前記カラー表示部１０ａに表示された全サムネイル画像が消去され（Ｓ１０）、前記画像出力部１３が新たに受付けた印刷ジョブを完了するまでは（Ｓ３）、前記カラー表示部１０ａにサムネイル画像の表示はない（Ｓ２）。
【００５２】
前記カラー表示部１０ａに前記サムネイル画像が表示された状態で（Ｓ６）、前記デジタル複合機１の電源がオフされることなく（Ｓ７）、前記用紙検出センサ１１ｃが前記排紙トレイ１１ｂに用紙があると検出しているときにおいて（Ｓ８）、または前記用紙検出センサ１１ｃが前記排紙トレイ１１ｂに用紙がないと検出し（Ｓ８）、検出継続した状態で所定時間が経過していないときにおいて（Ｓ９）、前記カラー表示部１０ａに表示されたサムネイル画像のなかに、特定されたサムネイル画像がなければ（Ｓ１１）、前記出力履歴記憶手段１３ａ１０に記憶されたサムネイル画像と、前記カラー表示部１０ａに表示されたサムネイル画像とに変更はない（Ｓ６）。
【００５３】
前記カラー表示部１０ａに前記サムネイル画像が表示された状態で（Ｓ６）、前記デジタル複合機１の電源がオフされることなく（Ｓ７）、前記用紙検出センサ１１ｃが前記排紙トレイ１１ｂに用紙があると検出しているときにおいて（Ｓ８）、または前記用紙検出センサ１１ｃが前記排紙トレイ１１ｂに用紙がないと検出し（Ｓ８）、検出継続した状態で所定時間が経過していないときにおいて（Ｓ９）、前記カラー表示部１０ａに表示されたサムネイル画像のなかに、特定されたサムネイル画像があると（Ｓ１１）、前記特定されたサムネイル画像が、前記出力履歴記憶手段１３ａ１０と、前記カラー表示部１０ａとから消去される（Ｓ１２）。
【００５４】
前記特定されたサムネイル画像が、前記出力履歴記憶手段１３ａ１０と、前記カラー表示部１０ａとから消去された後（Ｓ１２）、前記出力履歴記憶手段１３ａ１０に記憶されたサムネイル画像がなければ（Ｓ１３）、前記画像出力部１３が新たに受付けた印刷ジョブを完了するまでは（Ｓ３）、前記カラー表示部１０ａにサムネイル画像の表示はなく（Ｓ２）、前記出力履歴記憶手段１３ａ１０に記憶されたサムネイル画像があれば（Ｓ１３）、前記出力履歴記憶手段１３ａ１０に記憶されたサムネイル画像が前記カラー表示部１０ａに表示される（Ｓ６）。
【００５５】
以下、別実施形態を説明する。上述の実施例では、前記表示制御手段１０Ａ１は、前記カラー表示部１０ａに表示するサムネイル画像の外枠をジョブ種別毎に色分けして表示する構成としたが、図８（ａ）に示すように、前記出力履歴表示画面１０ａ１に配置された全履歴またはジョブ種別毎のタブを押圧することでジョブ種別毎に用意された表示画面に切り替え、前記表示画面毎に、ジョブ種別毎の前記サムネイル画像を表示する構成としても良い。この場合、使用者は、自らの印刷ジョブのジョブ種別に用意された表示画面のみを確認すればよいため、前記印刷ジョブによる用紙が出力されているか否かを容易に確認することができる。
【００５６】
上述の実施例では、前記表示制御手段１０Ａ１は、前記カラー表示部１０ａに表示するサムネイル画像の外枠をジョブ種別毎に色分けして表示する構成としたが、図８（ｂ）に示すように、前記カラー表示部１０ａに表示した前記サムネイル画像の下部または上部または左右等に、対応するジョブ種別を文字や記号などで表示する構成としても良い。また、前記対応するジョブ種別を表示する文字や記号を半透明にして、サムネイル画像に重ね合わせて表示する構成としても良い。
【００５７】
上述の実施例では、排紙トレイ１１ｂは、シフトトレイ機能を有する構成としたが、前記シフトトレイ機能を有さない構成としても良い。この場合、前記シフトトレイ機能を有するために必要なコストを削減することができる。また、前記排紙トレイ１１ｂは、単一である必要はなく、複数から構成されるものであっても良い。
【００５８】
上述の実施例では、出力履歴表示手段１３ａ２０は、印刷ジョブの処理順に、カラー表示部１０ａにサムネイル画像を表示する構成としたが、これに限定するものではなく、例えば、ジョブ種別に優先順位を設け、前記優先順位に従って前記サムネイル画像を表示する構成としても良い。
【００５９】
上述の実施例では、出力履歴表示手段１３ａ２０は、外枠を色分けする等、対応するジョブ種別を識別可能な態様で、カラー表示部１０ａにサムネイル画像を表示する表示する構成としたが、ジョブ種別を識別することなく、カラー表示部１０ａにサムネイル画像を表示する表示する構成としても良い。この場合、前記サムネイル画像を表示するプログラムを作成する際の労力を軽減し、またプログラムサイズを小さくすることができる。
【００６０】
上述の実施例では、排紙トレイ１１ｂに出力された用紙が取り除かれたことを、前記排紙トレイ１１ｂに備えられた用紙検出センサ１１ｃが継続して所定時間検出したときに、サムネイル画像を消去する構成としたが、排紙トレイ１１ｂに出力された用紙が取り除かれたことを、前記排紙トレイ１１ｂに備えられた用紙検出センサ１１ｃが検出して直ぐに、前記サムネイル画像を消去する構成としても良い。この場合、前記所定時間をカウントするタイマを削減することができ、また、当該機能を実行するプログラムの作成にかかる労力を軽減させることができる。
【００６１】
上述した複数の実施例は共に単独で構成されるものばかりではなく、本発明による作用効果を奏する範囲において適宜組み合わせるも可能である。
【００６２】
上述の実施例は何れも本発明の一実施例に過ぎず、各部の具体的構成は本発明による作用効果を奏する範囲において適宜変更することができることは言うまでもない。
【図面の簡単な説明】
【００６３】
【図１】画像形成制御部の説明図
【図２】デジタル複写機の外観図
【図３】操作部の説明図
【図４】排紙トレイと画像出力部の説明図
【図５】デジタル複合機の制御部のブロック構成図
【図６】（ａ）出力履歴表示画面の説明図、（ｂ）出力履歴表示画面の説明図
【図７】サムネイル画像の表示と消去の説明に用いるフローチャート
【図８】（ａ）別実施例における出力履歴表示画面の説明図、（ｂ）別実施例における出力履歴表示画面の説明図
【符号の説明】
【００６４】
１０ａ：カラー表示部
１０Ａ１：表示制御手段
１０Ａ４：操作入力検出手段
１１ｃ：用紙検出センサ
１３ａ１０：出力履歴記憶手段
１３ａ２０：出力履歴表示手段
１３Ａ：画像出力制御部
１３Ａ１：画像形成制御部
【図１】
2008006691.tif 000003
【図２】
2008006691.tif 000004
【図４】
2008006691.tif 000005
【図５】
2008006691.tif 000006
【図６】
2008006691.tif 000007
【図７】
2008006691.tif 000008
【図８】
2008006691.tif 000009
【図３】
2008006691.tif 000010